(57)【要約】【課題】トイレ内の狭いスペースを容易に掃除することができ、トイレ内のスペースを確保しつつトイレ内に収納できる小型でコストのかからないトイレ清掃装置を提供する。【解決手段】便器使用者の局部を洗浄するための局部洗浄装置と、局部に乾燥した空気を吐出する乾燥装置とを備える。トイレ清掃装置１に便器外部に開口する吸込口２ａと、便器内部に開口する吹出口３ａとを備える。トイレ清掃装置１に吸込口２ａと吹出口３ａとを連通接続する流路４ａを備える。流路４ａに吸込口２ａから吸い込んだ空気を吹出口３ａより吐出する送風手段と、吸込口２ａより吸い込んだ空気の塵や埃を除去するフィルタ部６ａと、流路４ａに吸込口２ａより吸い込んだ空気を加熱するための加熱手段とを備える。吸込口２ａをホース接続口とし、該ホース接続口にフレキシブルホース８の一端部を接続する。【選択図】　　　　図１
2004027623.tif 000002
【特許請求の範囲】
【請求項１】
便器使用者の局部を洗浄するための局部洗浄手段と、局部に乾燥した空気を吐出する乾燥手段とを備えた局部洗浄装置に便器外部に開口する吸込口と、便器内部に開口する吹出口と、吸込口と吹出口とを連通接続する流路とを備え、流路に吸込口から吸い込んだ空気を吹出口より吐出する送風手段と、吸込口より吸い込んだ空気の塵や埃を除去するフィルタ部と、吸込口より吸い込んだ空気を加熱するための加熱手段とを備え、該局部洗浄装置の吸込口をホース接続口とし、ホース接続口にフレキシブルホースの一端部を接続して成ることを特徴とするトイレ清掃装置。
【請求項２】
便器内部から空気を吸い込んで脱臭した後に便器外部に吐出する脱臭装置に便器内部に開口する吸込口と、便器外部に開口する吹出口と、吸込口と吹出口とを連通接続する流路とを備え、流路に吸込口から吸い込んだ空気を吹出口より吐出する送風手段と、吸込口より吸い込んだ空気を脱臭するための脱臭部と、吸込口より吸い込んだ空気の塵や埃を除去するフィルタ部とを備え、該脱臭装置に、送風手段の風向きを吹出口から吸い込んだ空気を吸込口より吐出する流れに切替えるための風向き切替え手段を設け、吹出口をホース接続口とし、該ホース接続口にフレキシブルホースを設けて成ることを特徴とするトイレ清掃装置。
【請求項３】
上記ホース接続口に着脱自在にフレキシブルホースを接続して成ることを特徴とする請求項１又は２記載のトイレ清掃装置。
【請求項４】
上記送風手段に風量を切換えるための風量切換え手段を設けて成ることを特徴とする請求項１乃至３のいずれかに記載のトイレ清掃装置。
【発明の詳細な説明】
【０００１】
【発明の属する技術分野】
本発明は、トイレ内の清掃を行うためのトイレ清掃装置に関するものである。
【０００２】
【従来の技術】
従来から、便器使用者の局部を洗浄するための局部洗浄手段と、局部に乾燥した空気を吐出する乾燥手段を備えた局部洗浄装置や、この局部洗浄装置に便器内部から吸い込んだ空気を脱臭した後に便器外部に吐出する脱臭装置を組み込んだ局部洗浄装置が知られている。
【０００３】
ところで上記の局部洗浄装置はトイレ内の清掃を行うための機能を有しておらず、トイレ内の清掃を行う際には送風手段やフィルタを備えた部屋用の掃除機のようなトイレ清掃装置を使用していた。
【０００４】
しかしながら、上記のようにトイレの清掃を部屋用の掃除機で行った場合、掃除機が汚れてしまうため、トイレ掃除用の新たな掃除機を用意しなければならず、コストがかかってしまっていた。また、掃除機をトイレ清掃後に汚れを拭き取るなどして掃除した後、部屋用の掃除機として使用する方法も考えられるが、この場合、掃除機の掃除が非常に面倒であった。また掃除機の送風手段やフィルタはハウジング内に収納されたものが多く、これによって掃除機が大型化してしまい、トイレ内の狭いスペースを掃除が困難になり、またこの掃除機をトイレ内の狭いスペースに収納した場合、トイレのスペースが狭くなってしまっていた。
【０００５】
【発明が解決しようとする課題】
本発明は上記の点に鑑みてなされたものであり、その目的とするところは、トイレ内の狭いスペースを容易に掃除することができ、トイレ内のスペースを確保しつつトイレ内に収納できる小型でコストのかからないトイレ清掃装置を提供することを課題とするものである。
【０００６】
【課題を解決するための手段】
上記課題を解決するために本発明に係るトイレ清掃装置は、便器使用者の局部を洗浄するための局部洗浄手段と、局部に乾燥した空気を吐出する乾燥手段とを備えた局部洗浄装置２０に便器外部に開口する吸込口２ａと、便器内部に開口する吹出口３ａと、吸込口２ａと吹出口３ａとを連通接続する流路４ａとを備え、流路４ａに吸込口２ａから吸い込んだ空気を吹出口３ａより吐出する送風手段と、吸込口２ａより吸い込んだ空気の塵や埃を除去するフィルタ部６ａと、吸込口２ａより吸い込んだ空気を加熱するための加熱手段とを備え、該局部洗浄装置２０の吸込口２ａをホース接続口とし、ホース接続口にフレキシブルホース８の一端部を接続して成ることを特長とするものである。
【０００７】
このように吸込口２ａをホース接続口とし、該ホース接続口にフレキシブルホース８の一端部を接続することで、局部洗浄装置に備えられている乾燥手段を利用してトイレ内の掃除を行うことができる。また乾燥手段を備えた局部洗浄装置２０にフレキシブルホース８を接続するだけでトイレ清掃装置１として利用することができるため、トイレ清掃装置１の小型化を実現できる。
【０００８】
また請求項２記載のトイレ清掃装置は、便器内部から空気を吸い込んで脱臭した後に便器外部に吐出する脱臭装置に便器内部に開口する吸込口２ｂと、便器外部に開口する吹出口３ｂと、吸込口２ｂと吹出口３ｂとを連通接続する流路４ｂとを備え、流路４ｂに吸込口２ｂから吸い込んだ空気を吹出口３ｂより吐出する送風手段と、吸込口２ｂより吸い込んだ空気を脱臭するための脱臭部と、吸込口２ｂより吸い込んだ空気の塵や埃を除去するフィルタ部６ｂとを備え、該脱臭装置に、送風手段の風向きを吹出口３ｂから吸い込んだ空気を吸込口２ｂより吐出する流れに切替えるための風向き切替え手段を設け、吹出口３ｂをホース接続口とし、該ホース接続口にフレキシブルホース８を設けて成ることを特長とするものである。
【０００９】
このように吹出口３ｂをホース接続口とし、該ホース接続口にフレキシブルホース８の一端部を接続し、風向き切替え手段により送風手段の風向きを吹出口３ｂから吸い込んだ空気を吸込口２ｂより吐出する流れへとを切替えることで、脱臭装置を利用してトイレ内の掃除を行うことができる。また脱臭装置にフレキシブルホース８を設けるだけでトイレ清掃装置１として利用することができるため、トイレ清掃装置１の小型化を実現できる。
【００１０】
また請求項３記載のトイレ清掃装置は上記請求項１又は２記載のトイレ清掃装置において、上記ホース接続口に着脱自在にフレキシブルホース８を接続して成ることを特徴とするものである。
【００１１】
このようにフレキシブルホース８をホース接続口に対して着脱自在に接続したので、掃除を行わない場合はフレキシブルホース８を仕舞える。
【００１２】
また請求項４記載のトイレ清掃装置は上記請求項１〜３のいずれかに記載のトイレ清掃装置において、上記送風手段に風量を切換えるための風量切換え手段を設けて成ることを特徴とするものである。
【００１３】
このように送風手段に風量を切換えるための風量切換え手段を設けることで、掃除の際に送風手段の風量を調節して吸い込み量を多くして吸い込み難いゴミ等を容易に吸い込んだり、また吸い込み量を少なくして消費エネルギーを抑えて掃除を行ったりすることができる。
【００１４】
【発明の実施の形態】
以下、本発明を添付図面に示す実施形態に基づいて説明する。
【００１５】
まず第１の実施形態について説明する。便器（図示せず）開口部の後端縁の上面には局部洗浄装置２０が設けられており、この局部洗浄装置２０にはノズルやポンプを備えた便器使用者（以下単に使用者と称す）の局部を洗浄するための局部洗浄手段と、局部洗浄手段によって洗浄された局部に乾燥した空気を吐出して乾燥を行う乾燥手段とを有している。なお、この局部洗浄手段の構成については限定されるものではなく、従来から知られている種々の局部洗浄手段を利用できるものとする。
【００１６】
局部洗浄装置２０には図１に示すように、使用者が着座するための便座１０と、便座１０を覆う便蓋１１とが回動自在に取り付けられている。また清掃装置本体９の後端部には便器の洗浄を行う水を貯えたロータンク１２を備えている。
【００１７】
乾燥手段について詳述すると、局部洗浄装置２０の側面には便器の後部付近に位置すると共に外側方、すなわち便器外部に開口する乾燥用の吸込口２ａが設けられており、また局部洗浄装置２０の前部下面には便器内部に開口する乾燥用の吹出口３ａが設けられている。吸込口２ａと吹出口３ａとは局部洗浄装置２０内部に形成された乾燥用の流路４ａによって連通接続されている。
【００１８】
流路４ａには吸込口２ａから吸い込んだ空気を吹出口３ａより吐出するファン５ａのような乾燥用の送風手段を設けており、流路４ａのファン５ａよりも上流側には吸込口２ａより吸い込んだ空気の塵や埃を除去するフィルタ部６ａが設けており、流路４ａのファン５ａよりも下流側には吸込口２ａより吸い込んだ空気を加熱するためのヒータ７のような加熱手段を設けている。
【００１９】
上記のファン５ａ及びヒータ７は図２に示すようにトイレ清掃装置１に設けた制御部１３ａに接続されており、ヒータ７は該操作部１３ａによって通電制御されている。また制御部１３ａは局部洗浄装置２０に設けた操作パネル１４ａの乾燥釦１５、風量切換え釦１７に接続されている。
【００２０】
上記制御部１３ａは乾燥釦１５をＯＮにすることで、ファン５ａをＯＮにすると共にヒータ７をＯＮにし、乾燥釦１５をＯＦＦにすることで、ファン５ａをＯＦＦにすると共にヒータ７をＯＦＦにするよう設定されている。また制御部１３ａはこの風量切換え釦１７を押すことで、ファン５ａの回転数を制御してファン５ａの風量を切換えるよう設定されている。つまり、本実施形態においてはこの風量切換え釦１７を風量切換え操作部とし、この風量切換え操作部による制御部１３ａを介したファン５ａの回転数の切換えを風量切換え手段としている。
【００２１】
しかして、乾燥釦１５をＯＮにすることで、ファン５ａにより吸込口２ａから吸い込まれた便器外部の空気はフィルタ部６ａで塵や埃等が除去され、その後ファン５ａを通過して、ヒータ７で加熱された後、吹出口３ａより便器内部に吐出され、これによって便座に着座した人の局部を乾燥させる。なお、この場合、後述するホース接続口にはフレキシブルホース８は接続されていないものとする。
【００２２】
ところで、上記の局部洗浄装置２０はトイレ清掃装置１として利用するために、以下に示す構成を有している。具体的に説明すると、前述した吸込口２ａをホース接続口とし、ホース接続口に掃除用の吸い込みホースのようなフレキシブルホース８の一端部を着脱自在に接続している。フレキシブルホース８の他端部は便器外部に開口している。
【００２３】
操作パネル１４ａには掃除釦１６ａが設けられており、制御部１３ａは掃除釦１６ａをＯＮにすることで、ファン５ａをＯＮにすると共にヒータ７をＯＦＦにし、また掃除釦１６ａをＯＦＦにすることで、ファン５ａとヒータ７とをＯＦＦにするよう設定されている。つまり、この掃除釦１６ａと前述した乾燥釦１５とでヒータ７のＯＮ／ＯＦＦを制御する加熱手段ＯＮ／ＯＦＦ操作部と、ファン５ａのＯＮ／ＯＦＦを切換える送風手段ＯＮ／ＯＦＦ操作部とを構成している。
【００２４】
しかして、ホース接続口にフレキシブルホース８を接続して、掃除釦１６ａをＯＮにすることで、矢印イに示すようにフレキシブルホース８の他端部開口より吸い込まれた空気は吸込口２ａより吸い込まれた後、フィルタ部６ａで塵や埃等が除去され、その後ファン５ａを通過して、吹出口３ａより便器内部に吐出される。これにより、フレキシブルホース８の他端部開口をトイレ内の汚れた箇所に近づけることで、その部分の掃除を行うことが可能となる。
【００２５】
このように吸込口２ａをホース接続口とし、該ホース接続口にフレキシブルホース８の一端部を接続することで、乾燥手段を備えた局部洗浄装置に構成される吸込口２ａ、吹出口３ａ、ファン５ａ、流路４ａ、フィルタ部６ａを利用してトイレ内の掃除を行うことができ、またこれによってトイレ清掃装置１のコスト削減が行える。また乾燥装置を備えた局部洗浄装置にフレキシブルホース８を接続するだけでトイレ清掃装置１として利用することができるため、トイレ清掃装置１の小型化を実現でき、またこれによって狭いトイレ内を容易に掃除することが可能となる。さらに、フレキシブルホース８によってトイレ内の狭い箇所を容易に掃除することが可能となる。また、特に本実施形態においてはホース接続口を便器の後部付近に位置する箇所に配設したため、最も掃除しにくい箇所である便器後方のスペースが狭い部分を容易に掃除することが可能となる。
【００２６】
また、上記ではフレキシブルホース８をホース接続口に対して着脱自在に接続しているので、掃除を行わない場合はフレキシブルホース８を仕舞え、トイレ清掃装置１の外観を美しくすることができる。また、局部洗浄装置１にフレキシブルホース８を設けるだけで、トイレ用清掃装置１となるため、トイレ用清掃装置１を小型化でき、トイレ内にも収納することができ、これによって使用後にトイレ用清掃装置１を掃除するといった面倒な作業を行わなくても良くなる。
【００２７】
また、上記ではファン５ａに風量を切換えるための風量切換え手段を設けてあるため、トイレの掃除の際にファン５ａの風量を調節して吸い込み量を多くして吸い込み難いゴミ等を容易に吸い込んだり、また吸い込み量を少なくして消費エネルギーを抑えて掃除を行ったりすることができる。
【００２８】
次に上記とは異なる第２の実施形態について説明する。なお上記第１の実施形態と同一の構成については同一の番号を付与してあり、重複する説明については説明を省略する。
【００２９】
本実施形態における局部洗浄装置２０は便器使用者の局部を洗浄するための局部洗浄手段を有し、この局部洗浄装置には図３に示すような便器内部から空気を吸い込んで脱臭した後に便器外部に吐出する脱臭装置が組み込まれている。
【００３０】
脱臭装置について詳述すると、局部洗浄装置２０の前部下面（乾燥用の吹出口３ａと同じ箇所）には便器内部に開口する脱臭用の吸込口２ｂが設けられており、また局部洗浄装置２０の側面（乾燥用の吸込口２ａと同じ箇所）には便器の後部付近に位置すると共に外側方、すなわち便器外部に開口する脱臭用の吹出口３ｂが設けられている。脱臭用の吸込口２ｂ及び吹出口３ｂは局部洗浄装置２０内部に形成された脱臭用の流路４ｂによって連通接続されている。
【００３１】
流路４ｂには吸込口２ｂから吸い込んだ空気を吹出口３ｂより吐出するファン５ｂのような脱臭用の送風手段を設けており、流路４ｂのファン５ｂよりも下流側には吸込口２ｂより吸い込んだ空気の塵や埃を除去するフィルタ部６ｂが設けており、流路４ｂのファン５ｂの上流側には吸込口２ｂより吸い込んだ空気を脱臭するための脱臭用フィルタ１８のような脱臭部を設けている。なお上記上流側及び下流側はファン５ｂを正転させた場合におけるものとする。
【００３２】
上記のファン５ｂは図３に示すようにトイレ清掃装置１に設けた制御部１３ｂに接続されており、制御部１３ｂは局部洗浄装置２０に設けた操作パネル１４ｂの脱臭釦１９、風量切換え釦１７に接続されている。
【００３３】
制御部１３ｂは脱臭釦１９をＯＮにすることで、ファン５ｂをＯＮにして正転させ吸込口２ｂから吸い込んだ空気を吹出口３ｂより吐出し、脱臭釦１９をＯＦＦにすることで、ファン５ｂをＯＦＦにするように設定されている。また制御部１３ｂは風量切換え釦１７を操作することで、ファン５ｂの回転数を制御してファン５ｂの風量を切換えるよう設定されている。つまり、本実施形態においてはこの風量切換え釦１７を風量切換え操作部とし、この風量切換え操作部による制御部１３ｂを介したファン５ｂの回転数の切換えを風量切換え手段としている。
【００３４】
しかして、脱臭釦１９をＯＮにすることで、ファン５ｂにより吸込口２ｂから吸い込まれた空気は脱臭用フィルタ１８で脱臭されてファン５ｂを通った後、フィルタ部６ｂにて塵や埃等が除去され、吹出口３ｂを通ってフレキシブルホース８の他端部開口より便器外部に吐出されることとなり（図中矢印ロ参照）、これによって便器内部の脱臭を行っている。
【００３５】
上記の局部洗浄装置２０に組み込まれた脱臭装置にはトイレ清掃装置１として利用するために、以下に示す構成を有している。具体的に説明すると、前述した吹出口３ｂをホース接続口とし、ホース接続口にフレキシブルホース８の一端部を接続している。また、脱臭装置にはファン５ｂの風向きを吹出口２ｂから吸い込んだ空気を吸込口３ｂより吐出する流れへとを切替えるための風向き切替え手段を設けている。
【００３６】
操作パネル１４ｂには掃除釦１６ｂが設けられており、制御部１３ｂは掃除釦１６ｂをＯＮにすることで、ファン５ｂをＯＮにすると共に風向き切換え手段によりファン５ｂを逆転させ、また掃除釦１６ｂをＯＦＦにすることで、ファン５ｂをＯＦＦにするよう設定されている。つまり、この掃除釦１６ｂと前述した脱臭釦１９とで、ファン５ｂの正転及び逆転を切換えるファン風向き切換え操作部と、ファン５ｂのＯＮ／ＯＦＦを切換える送風手段ＯＮ／ＯＦＦ操作部とを構成している。
【００３７】
しかして、掃除釦１６ｂをＯＮにすることで、フレキシブルホース８の他端部開口より吸い込まれた空気はフィルタ部６ｂで塵や埃等が除去され、その後ファン５ｂを通過して、脱臭用フィルタ１８にて脱臭された後、吸込口２ｂより便器内部に吐出される（図中矢印ハ参照）。これにより、フレキシブルホース８の他端部開口をトイレ内の汚れた箇所に近づけることで、その部分の掃除を行うことが可能となる。
【００３８】
このように吹出口３ｂをホース接続口とし、該ホース接続口にフレキシブルホース８の一端部を接続することで、脱臭装置の吸込口、吹出口、送風手段、流路を利用してトイレ内の掃除を行うことができ、またこれによってトイレ清掃装置１のコスト削減が行える。また脱臭装置にフレキシブルホース８を接続するだけでトイレ清掃装置１として利用することができるため、トイレ清掃装置１の小型化を実現でき、またこれによって狭いトイレ内を容易に掃除することが可能となる。また、特に本実施形態においてはホース接続口を便器の後部付近に位置する箇所に配設したため、最も掃除し難い箇所となった便器の後方のスペースが狭い部分を容易に掃除することが可能となる。さらに、フレキシブルホース８によってトイレ内の狭い箇所を容易に掃除することが可能となる。また、特に本実施形態においてはホース接続口を便器の後部付近に位置する箇所に配設したため、最も掃除しにくい箇所である便器後方のスペースが狭い部分を容易に掃除することが可能となる。
【００３９】
また、上記ではファン５ｂに風量を切換えるための風量切換え手段を設けてあるため、掃除の際にファン５ｂの風量を調節して吸い込み量を多くして吸い込み難いゴミ等を容易に吸い込んだり、また吸い込み量を少なくして消費エネルギーを抑えて掃除を行ったりすることができる。
【００４０】
なお、上記ではフレキシブルホース８をホース接続口に固着した例を示したが、上記第１の実施形態のようにフレキシブルホース８をホース接続口に着脱自在に接続しても良いものとし、この場合も第１の実施形態と同様の作用効果が得られるものである。また、上記では局部洗浄装置２０に組み込んだ脱臭装置の吹出口３ｂを接続口とし、この接続口にフレキシブルホース８を接続した例を示したが、脱臭装置のみ単独で構成された脱臭装置に上記構成を設けても良いものとする。
【００４１】
【発明の効果】
上記のように本発明の請求項１記載の発明にあっては、吸込口をホース接続口とし、該ホース接続口にフレキシブルホースの一端部を接続することで、局部洗浄装置に備えられている乾燥手段を利用してトイレ内の掃除を行うことができ、またこれによってトイレ清掃装置のコスト削減が行える。また乾燥手段を備えた局部洗浄装置にフレキシブルホースを設けるだけでトイレ清掃装置として利用することができるため、トイレ清掃装置の小型化を実現でき、またフレキシブルホースによって狭いトイレ内を容易に掃除することが可能となる。
【００４２】
また請求項２記載の発明にあっては、上記請求項１記載の発明の効果に加えてので、吹出口をホース接続口とし、該ホース接続口にフレキシブルホースの一端部を接続することで、脱臭装置を利用してトイレ内の掃除を行うことができ、またこれによってトイレ清掃装置のコスト削減が行える。また脱臭装置を備えた局部洗浄装置にフレキシブルホースを設けるだけで清掃装置として利用することができるため、清掃装置の小型化を実現でき、またフレキシブルホースによって狭いトイレ内を容易に掃除することが可能となる。
【００４３】
また請求項３記載の発明にあっては、上記請求項１又は２記載の発明の効果に加えて、フレキシブルホースをホース接続口に対して着脱自在に接続したので、掃除を行わない場合はフレキシブルホースを仕舞うことができ、トイレ用清掃装置の外観を美しくすることができる。
【００４４】
また請求項４記載の発明にあっては、上記請求項１〜３のいずれかに記載の発明の効果に加えて、送風手段に風量を切換えるための風量切換え手段を設けることで、掃除の際に送風手段の風量を調節して吸い込み量を多くして吸い込み難いゴミ等を容易に吸い込んだり、また吸い込み量を少なくして消費エネルギーを抑えて掃除を行ったりすることができる。
【図面の簡単な説明】
【図１】本発明の第１の実施形態の一例を示すトイレ清掃装置の説明図である。
【図２】同上の経路及び制御を説明する説明図である。
【図３】第２の実施形態の一例を示すトイレ清掃装置の説明図である。
【符号の説明】
１　　トイレ清掃装置
２ａ　乾燥用のの吸込口
２ｂ　脱臭用の吸込口
３ａ　乾燥用の吹出口
３ｂ　脱臭用の吹出口
４ａ　乾燥用の流路
４ｂ　脱臭用の流路
６ａ　フィルタ部
６ｂ　フィルタ部
８　　フレキシブルホース
【図１】
2004027623.tif 000003
【図２】
2004027623.tif 000004
【図３】
2004027623.tif 000005